(57)【要約】【課題】ハイブリッド車両にあって、速やかなる加速を要求する運転者の意思に合致したレスポンスを実現しながらも、エネルギ消費をできる限り抑制する。【解決手段】走行用電動機に供給するべき電力を発電する発電機に駆動力を供給できる内燃機関と、内燃機関に駆動力を供給できるモータリング用電動機とを具備する車両を制御するものであって、アクセル開度が大きくなるほど大きくなる要求出力Ａ’が閾値Ｄを超えた場合に内燃機関を始動してこれを運転し、要求出力Ａが閾値Ｄ以下である場合に内燃機関の運転を停止することとし、運転者が操作するアクセル開度が増大する加速要求時において、現在の車速または現在走行用電動機が出力している駆動力に応じて変動する補正量を、運転者の実際の操作による実アクセル開度に加増し、その加増したアクセル開度に対応した要求出力Ａ’を閾値Ｄと比較して内燃機関を始動するべきか否かを決定する制御装置を構成した。【選択図】図２
2020100324.tif 000002
【特許請求の範囲】
【請求項１】
駆動輪に走行のための駆動力を供給できる走行用電動機と、
走行用電動機に供給するべき電力を発電する発電機に発電のための駆動力を供給できる、または駆動輪に走行のための駆動力を供給できる内燃機関と、
内燃機関に当該内燃機関を回転させるための駆動力を供給できるモータリング用電動機とを具備するハイブリッド車両を制御するものであって、
アクセル開度が大きくなるほど大きくなる要求出力が閾値を超えた場合に内燃機関を始動してこれを運転し、要求出力が閾値以下である場合に内燃機関の運転を停止することとし、
運転者が操作するアクセル開度が増大する加速要求時において、現在の車速または現在走行用電動機が出力している駆動力に応じて変動する補正量を、運転者の実際の操作による実アクセル開度に加増し、その加増したアクセル開度に対応した要求出力を閾値と比較して内燃機関を始動するべきか否かを決定するハイブリッド車両の制御装置。
【請求項２】
駆動輪に走行のための駆動力を供給できる走行用電動機と、
走行用電動機に供給するべき電力を発電する発電機に発電のための駆動力を供給できる、または駆動輪に走行のための駆動力を供給できる内燃機関と、
内燃機関に当該内燃機関を回転させるための駆動力を供給できるモータリング用電動機とを具備するハイブリッド車両を制御するものであって、
アクセル開度が大きくなるほど大きくなる要求出力が閾値を超えた場合に内燃機関を始動してこれを運転し、要求出力が閾値以下である場合に内燃機関の運転を停止することとし、
運転者が操作するアクセル開度が増大する加速要求時において、現在の車速または現在走行用電動機が出力している駆動力に応じて閾値を上下させ、アクセル開度に対応した要求出力をその閾値と比較して内燃機関を始動するべきか否かを決定するハイブリッド車両の制御装置。
【発明の詳細な説明】
【技術分野】
【０００１】
本発明は、走行用の電動機及び内燃機関を搭載したハイブリッド車両を制御する制御装置に関する。
【背景技術】
【０００２】
近時、電動機及び内燃機関の二種の動力源を備えるハイブリッド車両が一定の普及を見ている。シリーズ方式のハイブリッド車両（例えば、下記特許文献を参照）は、内燃機関により発電用モータジェネレータを駆動して発電を行い、発電した電力を蓄電装置（バッテリ及び／またはキャパシタ）に蓄えるとともに走行用モータジェネレータに供給する。そして、走行用モータジェネレータによって車両の駆動輪を回転させて走行する。
【０００３】
発電用モータジェネレータのみならず、走行用モータジェネレータもまた、回生制動により発電を行い、発電した電力を蓄電装置に蓄えることができる。蓄電装置の容量一杯まで既に電荷が蓄えられている場合には、回生制動により得られる電力を敢えて発電用モータジェネレータに供給し、これを電動機として作動させて内燃機関を回転駆動することで、余剰の電力を消費する。
【０００４】
ハイブリッド車両では、内燃機関が燃料を燃焼させて回転駆動力を発生させなくとも、走行用モータジェネレータが出力する回転駆動力により車両を走行させることが可能である。故に、車両の運用中であっても、内燃機関の運転を停止している状態が継続することがある。
【０００５】
蓄電装置が現在蓄えている電荷の量が所定量を下回っている場合、または走行用モータジェネレータに対する要求出力が大きい場合には、内燃機関を始動し気筒に燃料を供給してこれを燃焼させ、内燃機関の出力する回転駆動力を以て発電用モータジェネレータを駆動し、発電を実施して蓄電装置を充電、または走行用モータジェネレータに供給する電力を増強する。
【０００６】
シリーズ方式のハイブリッド車両にあって、発電用モータジェネレータは、停止した内燃機関を始動する準備として内燃機関をモータリング（または、クランキング）する役割を兼ねる。モータリング時には、蓄電装置から必要な電力の供給を受ける。
【先行技術文献】
【特許文献】
【０００７】
【特許文献１】特開２０１６−０６４７３５号公報
【発明の概要】
【発明が解決しようとする課題】
【０００８】
内燃機関が燃料を燃焼させて自立的に回転できるようになるためには、内燃機関の各気筒の現在の行程またはピストンの位置を知得した上で、各気筒の行程に合わせて適切なタイミングで燃料を噴射し、かつ適切なタイミングで燃料を着火燃焼させる必要がある。
【０００９】
既存のシステムでは、内燃機関のクランクシャフトが所定角度（例えば、１０°ＣＡ（クランク角度））回転する都度パルス信号を発するクランク角センサの出力信号と、吸気カムシャフトまたは排気カムシャフトが所定角度（カムシャフトの一回転を気筒数で割った角度。三気筒エンジンであれば、１２０°（２４０°ＣＡ））回転する都度パルス信号を発するカム角センサの出力信号とを用いて、気筒判別を行っている。気筒判別を完了するには、停止していた内燃機関のクランクシャフトが二回転程度回転する必要がある。その分だけ、内燃機関の始動に時間を要することになる。
【００１０】
内燃機関の始動の遅延は、車速が低い、または走行用モータジェネレータが出力する駆動力が小さい状況から、運転者がアクセルペダルを踏み込んで車両の加速を要求したときに、加速の遅れとなって現れる。
【００１１】
運転者による加速要求に備えて、常時内燃機関のモータリングを実行しておくことも考えられるが、蓄電装置に蓄えている電力を徒に消費し、後に燃料を消費して発電を行うことになり、燃費性能上の不利を招く。常時内燃機関を運転しておくことも、同様である。
【００１２】
本発明は、電動機及び内燃機関の二種の動力源を備えるハイブリッド車両にあって、速やかなる加速を要求する運転者の意思に合致したレスポンスを実現しながらも、エネルギ消費をできる限り抑制することを所期の目的としている。
【課題を解決するための手段】
【００１３】
本発明では、駆動輪に走行のための駆動力を供給できる走行用電動機と、走行用電動機に供給するべき電力を発電する発電機に発電のための駆動力を供給できる、または駆動輪に走行のための駆動力を供給できる内燃機関と、内燃機関に当該内燃機関を回転させるための駆動力を供給できるモータリング用電動機とを具備するハイブリッド車両を制御するものであって、アクセル開度が大きくなるほど大きくなる要求出力が閾値を超えた場合に内燃機関を始動してこれを運転し、要求出力が閾値以下である場合に内燃機関の運転を停止することとし、運転者が操作するアクセル開度が増大する加速要求時において、現在の車速及び／または現在走行用電動機が出力している駆動力に応じて変動する補正量を、運転者の実際の操作による実アクセル開度に加増し、その加増したアクセル開度に対応した要求出力を閾値と比較して内燃機関を始動するべきか否かを決定するハイブリッド車両の制御装置を構成した。
【００１４】
並びに、本発明では、駆動輪に走行のための駆動力を供給できる走行用電動機と、走行用電動機に供給するべき電力を発電する発電機に発電のための駆動力を供給できる、または駆動輪に走行のための駆動力を供給できる内燃機関と、内燃機関に当該内燃機関を回転させるための駆動力を供給できるモータリング用電動機とを具備するハイブリッド車両を制御するものであって、アクセル開度が大きくなるほど大きくなる要求出力が閾値を超えた場合に内燃機関を始動してこれを運転し、要求出力が閾値以下である場合に内燃機関の運転を停止することとし、運転者が操作するアクセル開度が増大する加速要求時において、現在の車速及び／または現在走行用電動機が出力している駆動力に応じて閾値を上下させ、アクセル開度に対応した要求出力をその閾値と比較して内燃機関を始動するべきか否かを決定するハイブリッド車両の制御装置を構成した。
【発明の効果】
【００１５】
本発明によれば、ハイブリッド車両にあって、速やかなる加速を要求する運転者の意思に合致したレスポンスを実現しながらも、エネルギ消費をできる限り抑制することができる。
【図面の簡単な説明】
【００１６】
【図１】本発明の一実施形態におけるシリーズ方式のハイブリッド車両及び制御装置の概要を示す図。
【図２】同実施形態の制御装置が実施する制御における、要求出力及びこれと比較するべき判定閾値を示す図。
【図３】同実施形態の制御装置が実施する制御における、車速または走行用モータジェネレータの出力駆動力と擬似アクセル開度との関係を示す図。
【図４】本発明の変形例の制御における、要求出力及びこれと比較するべき判定閾値を示す図。
【発明を実施するための形態】
【００１７】
本発明の一実施形態を、図面を参照して説明する。図１に、本実施形態におけるハイブリッド車両の主要システムの概略構成を示している。このハイブリッド車両は、内燃機関１と、内燃機関１により駆動されて発電を行う発電用モータジェネレータ２と、発電用モータジェネレータ２が発電した電力を蓄える蓄電装置３と、発電用モータジェネレータ２及び／または蓄電装置３から電力の供給を受けて車両の駆動輪６２を駆動する走行用モータジェネレータ４とを備えている。
【００１８】
本実施形態のハイブリッド車両は、内燃機関１を発電にのみ使用するシリーズハイブリッド方式の電気自動車であり、車両の駆動輪６２には専ら走行用モータジェネレータ４から走行のための駆動力を供給する。内燃機関１と駆動輪６２との間は機械的に切り離されており、元来両者の間で回転駆動力の伝達がなされない。つまり、内燃機関１は、走行用モータジェネレータ４及び駆動輪６２から完全に独立して回転することが可能である。従って、イグニッションスイッチ（パワースイッチ、またはイグニッションキー）がＯＮに操作されている車両の運用中、運転者がアクセルペダルを踏むことで車両が走行可能な状態にあっても、蓄電装置３が充分な電荷を蓄えている状況下では、燃料の燃焼を伴う内燃機関１の運転を実施しないことがある。
【００１９】
内燃機関１は、例えば複数の気筒を包有する４ストロークエンジンである。内燃機関１の回転軸であるクランクシャフトは、発電用モータジェネレータ２の回転軸と歯車機構を介して機械的に接続している。そして、内燃機関１が出力する回転駆動力を発電用モータジェネレータ２に入力することで、発電用モータジェネレータ２が発電する。発電した電力は、蓄電装置３に充電し、及び／または、走行用モータジェネレータ４に供給する。また、発電用モータジェネレータ２は、自らが回転駆動力を発生させて内燃機関１のクランクシャフトを回転駆動する電動機としても機能する。例えば、発電用モータジェネレータ２は、停止している内燃機関１を始動する準備としてのモータリング（クランキング）を実行する。
【００２０】
走行用モータジェネレータ４は、車両の走行のための駆動力を発生させ、その駆動力を減速機６１を介して駆動輪６２に入力する。また、走行用モータジェネレータ４は、駆動輪６２に連れ回されて回転することで発電し、車両の運動エネルギを電気エネルギとして回収する。この回生制動により発電した電力は、蓄電装置３に充電する。
【００２１】
但し、既に蓄電装置３の容量一杯まで電荷が蓄えられており、それ以上の充電が困難であるならば、走行用モータジェネレータ４が回生発電した電力を敢えて発電用モータジェネレータ２に供給し、発電用モータジェネレータ２を電動機として稼働させて内燃機関１を回転駆動する。これにより、車両の制動性能を維持しながら、余剰の電力を消尽する。また、このとき、内燃機関１の回転が保たれることから、内燃機関１の気筒への燃料供給を一時的に停止する燃料カットを実行することができる。
【００２２】
発電機インバータ２１は、発電用モータジェネレータ２が発電する交流電力を直流電力に変換する。そして、その直流電力を蓄電装置３または駆動機インバータ４１に入力する。並びに、発電機インバータ２１は、発電用モータジェネレータ２を電動機として作動させる際に、蓄電装置３及び／または駆動機インバータ４１から供給される直流電力を交流電力に変換した上で発電用モータジェネレータ２に入力する。
【００２３】
駆動機インバータ４１は、蓄電装置３及び／または発電機インバータ２１から供給される直流電力を交流電力に変換した上で走行用モータジェネレータ４に入力する。並びに、駆動機インバータ４１は、車両の回生制動を行うときに走行用モータジェネレータ４が発電する交流電力を直流電力に変換した上で蓄電装置３または発電機インバータ２１に入力する。
【００２４】
発電機インバータ２１及び駆動機インバータ４１は、ＰＣＵ（Ｐｏｗｅｒ  Ｃｏｎｔｒｏｌ  Ｕｎｉｔ）の一部をなす。
【００２５】
蓄電装置３は、バッテリ及び／またはキャパシタ等である。蓄電装置３は、発電用モータジェネレータ２及び走行用モータジェネレータ４の各々が発電する電力を充電して蓄える。並びに、蓄電装置３は、発電用モータジェネレータ２及び走行用モータジェネレータ４の各々を電動機として作動させるための電力を放電し、それらモータジェネレータ２、４に必要な電力を供給する。
【００２６】
内燃機関１、発電用モータジェネレータ２、蓄電装置３、インバータ２１、４１及び走行用モータジェネレータ４の制御を司る制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。ＥＣＵ０は、複数基のＥＣＵ、即ち内燃機関１を制御するエンジンコントローラ０１、発電用モータジェネレータ２及び発電機インバータ２１を制御する発電機コントローラ０２、蓄電装置３を制御するバッテリコントローラ０３、走行用モータジェネレータ４及び駆動機インバータ４１を制御する駆動機コントローラ０４等が、ＣＡＮ（Ｃｏｎｔｒｏｌｌｅｒ  Ａｒｅａ  Ｎｅｔｗｏｒｋ）等の電気通信回線を介して相互に通信可能に接続されてなるものである。
【００２７】
ＥＣＵ０は、センサを介してセンシングしている、運転者が操作するアクセル開度即ちアクセルペダルの踏込量や、シフトポジション即ちシフトレバー若しくはセレクタレバーの位置またはスイッチのＯＮ／ＯＦＦ、現在の車両の車速、路面の勾配、蓄電装置３の蓄電量、発電用モータジェネレータ２の発電電力等に応じて、走行用モータジェネレータ４が出力する回転駆動力、内燃機関１が出力する回転駆動力、及び発電用モータジェネレータ２が発電する電力の大きさを増減制御する。
【００２８】
蓄電装置３が現在充分な電荷を蓄えており、走行用モータジェネレータ４に対して要求される出力が小さい場合、内燃機関１への燃料の供給を遮断して内燃機関１を運転しない。翻って、蓄電装置３が現在蓄えている電荷の量が所定量を下回っている場合、または走行用モータジェネレータ４に対して要求される出力が大きい場合には、内燃機関１を始動し気筒に燃料を供給してこれを燃焼させ、内燃機関１の出力する回転駆動力を以て発電量モータジェネレータ２を駆動し、発電を実施して蓄電装置３を充電し、または走行用モータジェネレータ４に供給する電力を増強する。
【００２９】
図２に、車両の運転者が要求する出力と、内燃機関１及び発電用モータジェネレータ２の運転の要否との関係を示している。要求出力は、運転者が操作するアクセル開度及び車速によって決まる。原則として、要求出力は、アクセル開度が大きくなるほど大きくなり、車速が高くなるほど大きくなる。図２上、右上方に向かうほど要求出力が大きいということになる。ＥＣＵ０は、駆動輪６２に与えるべき駆動力が比較的小さく、車速も比較的低い低出力領域Ｉでは、内燃機関１に燃料を供給せずにその運転を停止し、発電用モータジェネレータ２を発電機として稼働させない。低出力領域Ｉでは、走行用モータジェネレータ４が、蓄電装置３のみから電力供給を受けて、車両の走行のための駆動力を出力する。
【００３０】
対して、ＥＣＵ０は、駆動輪６２に与えるべき駆動力がある程度以上大きい、または車速がある程度以上高い中高出力領域II、IIIでは、内燃機関１に燃料を供給してこれを運転し、発電用モータジェネレータ２を発電機として稼働させる。その上で、要求出力が顕著に大きくない中出力領域IIでは、走行用モータジェネレータ４が、主として発電用モータジェネレータ２から電力供給を受けて、車両の走行のための駆動力を出力する。このとき、蓄電装置３からは、少量の電力供給を受けるか、あるいは全く電力供給を受けない。要求出力が顕著に大きい高出力領域IIIでは、走行用モータジェネレータ４が、発電用モータジェネレータ２及び蓄電装置３の双方から電力供給を受けて、車両の走行のための駆動力を出力する。
【００３１】
内燃機関１の気筒に燃料を供給して内燃機関１を運転しておらず、走行用モータジェネレータ４により駆動輪６２を駆動して車両を走行させている最中に、内燃機関１を始動しようとするとき、発電用モータジェネレータ２が内燃機関１の始動のためのモータリングを行う。内燃機関１の始動のためのモータリングは、内燃機関１が燃料を燃焼させて自立的に回転できるようになるまで続行する。より具体的には、センシングしている内燃機関１のクランクシャフトの回転速度が始動に必要な最低限度の値以上に高まり、かつモータリングの開始から内燃機関１のクランクシャフトが所定回数以上または所定角度以上回転した時点で、モータリングを終了する。内燃機関１の始動が完了し、内燃機関１のモータリングを終了して以降は、発電用モータジェネレータ２への電力供給を０まで低下させる。
【００３２】
クランクシャフトが所定回数以上または所定角度以上回転した、という条件は、内燃機関１の各気筒の現在の行程またはピストンの位置を知得する気筒判別が完了した、と置き換えてもよい。当然ながら、各気筒の行程に合わせて適切なタイミングで燃料を噴射し、また適切なタイミングで燃料を着火燃焼させるためには、各気筒の現在の行程を知る必要がある。気筒判別は、内燃機関１のクランクシャフトが所定角度回転する都度パルス信号を発するクランク角センサと、吸気カムシャフトまたは排気カムシャフトが所定角度回転する都度パルス信号を発するカム角センサとを用いて行う。気筒判別の手法は周知であるので、ここではその説明を割愛する。
【００３３】
クランク角センサ及びカム角センサの短所として、内燃機関１のクランクシャフト及びカムシャフトの回転速度が著しく低下すると、信号対雑音比の高い信号を出力できなくなる点が挙げられる。内燃機関１が回転を停止したときの各気筒の行程またはピストンの位置は、内燃機関１の始動を開始する時点では分からない。ＥＣＵ０がクランク角信号及びカム角信号を参照して各気筒の行程を判別するためには、停止していた内燃機関１のクランクシャフトが二回転程度回転する必要がある。それもあって、停止した内燃機関１の始動を開始してから、発電用モータジェネレータ２が発電した電力を走行用モータジェネレータ４に供給し始めるまでには、ある程度の時間を要する。
【００３４】
現在の車速が低い、または走行用モータジェネレータ４の出力する駆動力が小さい状況から、運転者がアクセルペダルを踏み込んで車両の加速を要求したときには、停止している内燃機関１を始動してこれを運転し、発電用モータジェネレータ２による発電を開始して走行用モータジェネレータ４に供給する電力を増強する。とりわけ、車両に搭載している蓄電装置３が小型軽量で小容量のものであり、蓄電装置３から走行用モータジェネレータ４に供給できる電力の大きさに制限があると、発電用モータジェネレータ２で発電した電力を走行用モータジェネレータ４に供給しなければ、要求された加速度を達成するのに必要十分な駆動力を発生させて駆動輪６２に入力することができない。だが、上に述べた通り、内燃機関１の始動及び発電用モータジェネレータ２による発電の開始には所要時間が発生し、それが運転者の加速要求に対するレスポンスの遅れとなって現れることがある。
【００３５】
そこで、本実施形態のＥＣＵ０は、運転者が操作するアクセル開度が増大する加速要求時において、現在の車速及び／または現在走行用モータジェネレータ４が出力している駆動力に応じて変動する補正量を、運転者の実際の操作による実アクセル開度、即ちセンサを介してセンシングした実際のアクセルペダルの踏込量に加増する。そして、その加増した擬似アクセル開度に基づいて、内燃機関１を始動するべきか否かを決定する。
【００３６】
図３に、現在の車速と、実アクセル開度に補正量を加増した擬似アクセル開度との関係を示す。図３中、破線Ｔ０は補正量を加えていない実アクセル開度そのものである。実線Ｔ３は車速が顕著に低い状況における擬似アクセル開度を表し、一点鎖線Ｔ２は車速が幾分高い状況における擬似アクセル開度を表し、二点鎖線Ｔ１は車速がそれよりも高い状況における擬似アクセル開度を表している。実アクセル開度に加増する補正量は、現在の車速が低いほど大きくなる。実アクセル開度が同等であるならば、現在の車速が低いほど擬似アクセル開度が大きくなる。また、実アクセル開度に加増する補正量は、実アクセル開度が大きくなるにつれて減少する。
【００３７】
現在の車速が中速域以上に高い状況では、実アクセル開度に加増する補正量を０とし、破線Ｔ０で表しているように擬似アクセル開度を実アクセル開度に等しくする。車速が中速域以上である場合、図２に示している中出力領域IIまたは高出力領域IIIに属し、既に内燃機関１を始動して運転している蓋然性が高い。
【００３８】
現在走行用モータジェネレータ４が出力している駆動力と、実アクセル開度に補正量を加増した擬似アクセル開度との関係も、図３に示しているようなものとなる。ここで、現在の走行用モータジェネレータ４の出力駆動力は、実アクセル開度に基づいて走行用モータジェネレータ４が要求している電力、あるいは、実アクセル開度に基づいて発電用モータジェネレータ２または蓄電装置３に求められている発電量または電力と読み替えてもよい。図３中、破線Ｔ０は補正量を加えていない実アクセル開度そのものである。実線Ｔ３は走行用モータジェネレータ４の出力駆動力が顕著に小さい状況における擬似アクセル開度を表し、一点鎖線Ｔ２は出力駆動力が幾分大きい状況における擬似アクセル開度を表し、二点鎖線Ｔ１は出力駆動力がそれよりも大きい状況における擬似アクセル開度を表している。実アクセル開度に加増する補正量は、現在の走行用モータジェネレータ４の出力駆動力が小さいほど大きくなる。実アクセル開度が同等であるならば、現在の走行用モータジェネレータ４の出力駆動力が小さいほど擬似アクセル開度が大きくなる。また、実アクセル開度に加増する補正量は、実アクセル開度が大きくなるにつれて減少する。
【００３９】
現在の走行用モータジェネレータ４の出力駆動力が中程度以上に大きい状況では、実アクセル開度に加増する補正量を０とし、破線Ｔ０で表しているように擬似アクセル開度を実アクセル開度に等しくする。走行用モータジェネレータ４の出力駆動力が中程度以上である場合、図２に示している中出力領域IIまたは高出力領域IIIに属し、既に内燃機関１を始動して運転している蓋然性が高い。
【００４０】
なお、擬似アクセル開度を定めるにあたっては、現在の車速の高低に応じた補正量と、現在の走行用モータジェネレータ４の出力駆動力の大小に応じた補正量との双方を実アクセル開度に加増してもよく、何れか一方のみを実アクセル開度に加増してもよい。
【００４１】
図２中、低出力領域Ｉと中出力領域IIとの境界線Ｄが、内燃機関１を始動するべきか否かの判定閾値に相当する。アクセル開度が増大することは、要求出力が増大し図２上で上方ないし右方に遷移することを意味する。本実施形態のＥＣＵ０は、現在内燃機関１を運転しておらず、実アクセル開度が増大する加速要求がなされるときに、実アクセル開度に補正量を加えた擬似アクセル開度に対応した要求出力と判定閾値Ｄとを比較し、要求出力が当該閾値Ｄを上回るなら、停止した内燃機関１を始動し、内燃機関１により発電用モータジェネレータ２を駆動して発電を開始する。例えば、実アクセル開度に対応した要求出力が低出力領域Ｉ内のＡ点にあるとしても、擬似アクセル開度に対応した要求出力が閾値Ｄである境界線を超えて中出力領域II内のＡ’点にある場合には、内燃機関１を始動する。これにより、現在の車速が低い、または現在走行用モータジェネレータ４が出力している駆動力が小さい状況下で、運転者がアクセルペダルを踏み始めたならばすぐに内燃機関１が始動するようになる。ひいては、運転者の加速要求に対して速やかなる車両の加速を実現することが可能となる。
【００４２】
擬似アクセル開度に対応した要求出力が判定閾値Ｄ以下であり、要求出力が依然として低出力領域Ｉ内にある場合には、内燃機関１を始動せず停止状態を維持することは言うまでもない。
【００４３】
実アクセル開度に補正量を加増した擬似アクセル開度を制御の判断に用いるのは、内燃機関１に燃料を供給せずその運転を停止している状態で、運転者が操作するアクセル開度が増大するとき、換言すれば実アクセル開度に対応した要求出力が低出力領域Ｉにあるときに限られる。既に内燃機関１を始動して運転している場合に、その内燃機関１の運転及び発電用モータジェネレータ２による発電を停止してよいかどうかを判断する、または発電用モータジェネレータ２と蓄電装置３との双方から走行用モータジェネレータ４に電力供給を行うか否かを判断する際には、（擬似アクセル開度でなく）現在の実アクセル開度に対応した要求出力が何れの領域Ｉ、II、IIIにあるのかを確認し、低出力領域Ｉならば内燃機関１の運転を停止し、中出力領域IIならば内燃機関１の運転を継続しつつ発電用モータジェネレータ２のみから走行用モータジェネレータ４に電力を供給し、高出力領域IIIならば内燃機関１の運転を継続しつつ発電用モータジェネレータ２及び蓄電装置３の双方から走行用モータジェネレータ４に電力を供給する。
【００４４】
また、擬似アクセル開度はあくまでも、停止している内燃機関１を始動するべきか否かを判断するために用いるものであり、走行用モータジェネレータ４が出力するべき駆動力の大きさや、発電用モータジェネレータ２から走行用モータジェネレータ４に供給するべき電力の大きさは、擬似アクセル開度ではなく実アクセル開度に基づいて決定する。図２に示した例に則して述べると、現時点での実アクセル開度に対応する要求出力がＡである以上、走行用モータジェネレータ４が出力する駆動力の大きさはこの要求出力Ａに見合ったものとする。一方で、現時点での要求出力がＡであるとしても、現時点での擬似アクセル開度に対応する要求出力がＡ’であるならば、内燃機関１を始動する。これにより、その後の加速要求に対して内燃機関１の始動が間に合わずに遅れる問題を解決するのである。
【００４５】
本実施形態では、駆動輪６２に走行のための駆動力を供給できる走行用電動機４と、走行用電動機４に供給するべき電力を発電する発電機２に発電のための駆動力を供給できる内燃機関１と、内燃機関１に当該内燃機関１を回転させるための駆動力を供給できるモータリング用電動機２とを具備するハイブリッド車両を制御するものであって、アクセル開度が大きくなるほど大きくなる要求出力が閾値Ｄを超えた場合に内燃機関１を始動してこれを運転し、要求出力が閾値Ｄ以下である場合に内燃機関１の運転を停止することとし、運転者が操作するアクセル開度が増大する加速要求時において、現在の車速または現在走行用電動機４が出力している駆動力に応じて変動する補正量を、運転者の実際の操作による実アクセル開度に加増し、その加増したアクセル開度に対応した要求出力を閾値Ｄと比較して内燃機関１を始動するべきか否かを決定するハイブリッド車両の制御装置０を構成した。
【００４６】
本実施形態によれば、運転者がアクセルペダルを踏み込む前兆として僅かにアクセルペダルを踏んだときに内燃機関１を始動し、発電機２による発電を開始して走行用電動機４に電力を供給する状態へと移行、走行用電動機４が出力する駆動力を迅速に増強することが可能である。従って、速やかなる加速を要求する運転者の意思に合致したレスポンスを実現できる。加速要求に備えて、常に内燃機関１をモータリングまたは運転し続ける必要がなく、エネルギを浪費せずに済み、燃費性能上の不利を招かない。
【００４７】
なお、本発明は以上に詳述した実施形態に限られるものではない。上記実施形態では、実アクセル開度に補正量を加増した擬似アクセル開度を用い、擬似アクセル開度に対応した要求出力と判定閾値Ｄとを比較することで、内燃機関１を始動するべきか否かを決定していた。いわば、内燃機関１が停止している状況下での加速要求時に、要求出力に「下駄を履かせて」低出力領域Ｉから中出力領域IIへの遷移を促し、内燃機関１の始動を早めていた。
【００４８】
これに代えて、またはこれとともに、判定閾値である低出力領域Ｉと中出力領域IIとの境界線Ｄ０を変更することにより、停止していた内燃機関１の始動を早めることも考えられる。この場合、実アクセル開度に補正量を加増した擬似アクセル開度を用いる必要はない。制御装置たるＥＣＵ０は、図４に示すように、運転者が操作するアクセル開度が増大する加速要求時において、現在の車速または現在走行用モータジェネレータ４が出力している駆動力に応じて閾値Ｄ０を引き下げた上、アクセル開度に対応した要求出力をその閾値Ｄ０、Ｄ１、Ｄ２、Ｄ３と比較し、以て内燃機関を始動するべきか否かを決定する。
【００４９】
図４中、破線Ｄ０は変更を加えていない閾値である。実線Ｄ３は、車速が顕著に低い、または走行用モータジェネレータ４の出力駆動力が顕著に小さい状況における閾値を表している。一点鎖線Ｄ２は、車速が幾分高い、または走行用モータジェネレータ４の出力駆動力が幾分大きい状況における閾値を表している。二点鎖線Ｄ１は、車速がそれよりも高い、または走行用モータジェネレータ４の出力駆動力がそれよりも大きい状況における閾値を表している。変更前の閾値Ｄ０からの引き下げ幅は、現在の車速が低いほど、または現在の走行用モータジェネレータ４の出力駆動力が小さいほど大きくなる。
【００５０】
現在の車速が中速域以上に高い状況、または現在の走行用モータジェネレータ４の出力駆動力が中程度以上に大きい状況では、閾値を破線Ｄ０で表しているものから変更しない。車速が中速域以上である、または走行用モータジェネレータ４の出力駆動力が中程度以上である場合には、中出力領域IIまたは高出力領域IIIに属し、既に内燃機関１を始動して運転している蓋然性が高い。
【００５１】
判定閾値Ｄ０、Ｄ１、Ｄ２、Ｄ３の変更は、現在の車速と走行用モータジェネレータ４の出力駆動力との双方に基づいてもよいし、何れか一方のみに基づいてもよい。
【００５２】
ＥＣＵ０は、現在内燃機関１を運転しておらず、アクセル開度が増大する加速要求がなされるときに、アクセル開度に対応した要求出力を、現在の車速及び／または走行用モータジェネレータ４の出力駆動力に応じて変更を加えた判定閾値Ｄ０、Ｄ１、Ｄ２、Ｄ３と比較する。そして、要求出力が当該閾値Ｄ０、Ｄ１、Ｄ２、Ｄ３を上回るなら、停止した内燃機関１を始動し、内燃機関１により発電用モータジェネレータ２を駆動して発電を開始する。例えば、アクセル開度に対応した要求出力が、低出力領域Ｉ内のＢ点にあるとしても、アクセル開度に対応した要求出力がそのときの車速及び／または走行用モータジェネレータ４の出力駆動力に応じた閾値Ｄ２を超えて中出力領域II内にある場合には、内燃機関１を始動する。これにより、現在の車速が低い、または現在走行用モータジェネレータ４が出力している駆動力が小さい状況下で、運転者がアクセルペダルを踏み始めたならばすぐに内燃機関１が始動するようになる。ひいては、運転者の加速要求に対して速やかなる車両の加速を実現することが可能となる。
【００５３】
アクセル開度に対応した要求出力が判定閾値Ｄ０、Ｄ１、Ｄ２、Ｄ３以下であり、要求出力が依然として低出力領域Ｉ内にある場合には、内燃機関１を始動せず停止状態を維持することは言うまでもない。
【００５４】
判定閾値である低出力領域Ｉと中出力領域IIとの境界線Ｄ０を変更するのは、内燃機関１に燃料を供給せずその運転を停止している状態で、運転者が操作するアクセル開度が増大するとき、換言すればアクセル開度に対応した要求出力が低出力領域Ｉにあるときに限られる。既に内燃機関１を始動して運転している場合に、その内燃機関１の運転及び発電用モータジェネレータ２による発電を停止してよいかどうかを判断し、または発電用モータジェネレータ２と蓄電装置３との双方から走行用モータジェネレータ４に電力供給を行うか否かを判断する際には、現在のアクセル開度に対応した要求出力を（引き下げた閾値Ｄ１、Ｄ２、Ｄ３ではなく）元の閾値Ｄ０と比較し、要求出力が何れの領域Ｉ、II、IIIにあるのかを確認し、低出力領域Ｉならば内燃機関１の運転を停止し、中出力領域IIならば内燃機関１の運転を継続しつつ発電用モータジェネレータ２のみから走行用モータジェネレータ４に電力を供給し、高出力領域IIIならば内燃機関１の運転を継続しつつ発電用モータジェネレータ２及び蓄電装置３の双方から走行用モータジェネレータ４に電力を供給する。
【００５５】
上記実施形態における車両はシリーズハイブリッド車両であり、内燃機関１が出力する駆動力を発電機２ではなく駆動輪６２に入力することは想定していなかった。だが、内燃機関が出力する駆動力を車両の走行のために駆動輪に供給し得る態様のハイブリッド車両に、本発明を適用することも可能である。その場合には、内燃機関と駆動輪との間に、両者の間で駆動力を伝達可能な状態と、両者の間で駆動力を伝達せず内燃機関が駆動輪から独立して回転可能な状態とを切換可能な動力伝達機構（断接切換可能なクラッチや、遊星歯車を利用した伝達機構等）を介設しておく。そして、アクセル開度（擬似アクセル開度であることがある）に対応した要求出力が閾値Ｄ、Ｄ０、Ｄ１、Ｄ２、Ｄ３を上回るという条件が成立したときに、動力伝達機構を後者の状態として内燃機関のモータリングを行い、気筒に燃料を供給して内燃機関を始動し、かつ動力伝達機構を前者の状態として内燃機関が出力する駆動力を駆動輪に供給できるようにする。
【００５６】
その他、各部の具体的な構成や処理の内容は、本発明の趣旨を逸脱しない範囲で種々変形が可能である。
【産業上の利用可能性】
【００５７】
本発明は、ハイブリッド車両の制御に適用することができる。
【符号の説明】
【００５８】
０…制御装置（ＥＣＵ）
１…内燃機関
２…発電機、モータリング用電動機（発電用モータジェネレータ）
４…走行用電動機（走行用モータジェネレータ）
３…蓄電装置
６２…駆動輪
【図１】
2020100324.tif 000003
【図２】
2020100324.tif 000004
【図３】
2020100324.tif 000005
【図４】
2020100324.tif 000006